(57)【要約】【課題】従来の回路では、スイッチがオフの状態ではスイッチの両端子間に上記２点の電位差がかかることになり、そのため、耐電圧の高いスイッチを用いなければならず、スイッチが大型化し、かつスイッチのコストが高くなるという不具合が生じる。【解決手段】負荷ユニットが上記ハーネスを介して本体に接続された状態で上記スイッチに対して直列に接続される抵抗が本体内に設けられており、上記負荷ユニット内には上記スイッチに対して並列に抵抗が設けられており、本体側の抵抗の端部の電位がスイッチのオンオフによって変化することからスイッチがオンされたことを検知するスイッチ検知部を本体側に設け、スイッチがオンされたことを検知する。【選択図】  図２
2017050128.tif 000002
【特許請求の範囲】
【請求項１】
負荷を内蔵する負荷ユニットが電力を供給する本体にハーネスを介して接続され、負荷ユニット側に設けたスイッチがオンされると、本体側でそのスイッチのオンされたことを検知して負荷ユニットに負荷を駆動するための電力を供給する電気装置において、上記負荷ユニットが上記ハーネスを介して本体に接続された状態で上記スイッチに対して直列に接続される抵抗が本体内に設けられており、上記負荷ユニット内には上記スイッチに対して並列に抵抗が設けられており、本体側の抵抗の端部の電位がスイッチのオンオフによって変化することからスイッチがオンされたことを検知するスイッチ検知部を本体側に設け、スイッチがオンされたことを検知することによって上記負荷への電力供給を開始することを特徴とする電気装置。
【請求項２】
上記負荷はＬＥＤであり、上記負荷ユニットはＬＥＤ照明装置であることを特徴とする請求項１に記載の電気装置。
【発明の詳細な説明】
【技術分野】
【０００１】
本発明は、電力を供給する本体に対してハーネスを介して負荷ユニットが接続された電気装置に関する。
【背景技術】
【０００２】
上述のような電気装置では、負荷への通電を入り切りするためのスイッチを設ける必要があるが、そのスイッチを本体に設けたのでは負荷ユニットから離れてしまうため利便性が低下する。そのため、このスイッチは負荷ユニット側に設ける必要があるが、そのように構成すると、スイッチのオンオフ状態を本体側で検知する必要がある。
【０００３】
そこで、電位差のある２点の間に２個の抵抗とスイッチとを直列に接続した回路を架設し、スイッチがオンになると、その時点で初めて２個の抵抗に電流が流れ、２個の抵抗に挟まれた位置で分圧が発生することによってスイッチがオンされたことを検知するものが知られている（例えば、特許文献１参照）。
【先行技術文献】
【特許文献】
【０００４】
【特許文献１】特開平８−１３０４５２号公報（図１、図３）
【発明の概要】
【発明が解決しようとする課題】
【０００５】
上記従来の回路では、スイッチがオフの状態ではスイッチの両端子間に上記２点の電位差がかかることになり、そのため、耐電圧の高いスイッチを用いなければならず、スイッチが大型化し、かつスイッチのコストが高くなるという不具合が生じる。
【０００６】
そこで本発明は、上記の問題点に鑑み、耐電圧の低いスイッチを用いることのできる電気装置を提供することを課題とする。
【課題を解決するための手段】
【０００７】
上記課題を解決するために本発明による電気装置は、負荷を内蔵する負荷ユニットが電力を供給する本体にハーネスを介して接続され、負荷ユニット側に設けたスイッチがオンされると、本体側でそのスイッチのオンされたことを検知して負荷ユニットに負荷を駆動するための電力を供給する電気装置において、上記負荷ユニットが上記ハーネスを介して本体に接続された状態で上記スイッチに対して直列に接続される抵抗が本体内に設けられており、上記負荷ユニット内には上記スイッチに対して並列に抵抗が設けられており、本体側の抵抗の端部の電位がスイッチのオンオフによって変化することからスイッチがオンされたことを検知するスイッチ検知部を本体側に設け、スイッチがオンされたことを検知することによって上記負荷への電力供給を開始することを特徴とする。
【０００８】
上記構成では、負荷ユニットがハーネスを介して本体に接続された状態では負荷ユニットの抵抗と本体の抵抗とが直列に接続され、負荷ユニットの抵抗の両端には分圧された電圧しか印加されない。そのため、スイッチはその分圧された電圧に見合う耐電圧のものを使用することができる。
【０００９】
なお、例えば、上記負荷はＬＥＤであり、上記負荷ユニットはＬＥＤ照明装置である場合に本発明を適用することができる。
【発明の効果】
【００１０】
以上の説明から明らかなように、本発明は、負荷ユニットに設けるスイッチとして、負荷ユニット内の抵抗の両端に印加される分圧された電圧に見合う耐電圧のものを使用することができるので、スイッチの大きさを小さくすることができ、かつスイッチのコストを下げることができる。
【図面の簡単な説明】
【００１１】
【図１】本発明を照明装置に適用した場合の一実施の形態の構成を示す図
【図２】本体と照明ユニットの内部構造の概略を示す図
【発明を実施するための形態】
【００１２】
図１を参照して、１は本体で有り、外部の所用電源から電力の供給を受けてハーネス３を介して負荷ユニットである照明ユニット２に所定の電圧の電力を供給するものである。なお、ハーネス３の両端にはコネクタ３１が設けられており、ハーネス３は本体１及び照明ユニット２に対して両コネクタ３１によって着脱自在に取り付けられる。
【００１３】
照明ユニット２にはスイッチ２１が設けられており、このスイッチ２１をオンオフすることによりＬＥＤ部２２が点消灯するように構成されている。
【００１４】
図２を参照して、上記ハーネス３は３本の導電から構成されており、ハーネス３を介して照明ユニット２が本体１に接続されると、本実施の形態では３０ボルトの直流電力が照明ユニット２に供給される。
【００１５】
照明ユニット２内には抵抗２３が設けられており、この抵抗２３は本体１側の抵抗１３及び抵抗１４との合計３個の抵抗からなる直列回路を形成する。これらの３個の抵抗の抵抗値を例えば、抵抗２３を５ｋΩとし、抵抗１３を１２ｋΩとし、抵抗１４を１３ｋΩとすると、抵抗２３の両端には分圧された電圧として５ボルトの電位差が生じる。この抵抗２３には上記スイッチ２１が並列に接続されており、このスイッチ２１がオフの状態であれば、本体１内のスイッチ判定回路１２には１３ボルトの電圧が入力されることになる。
【００１６】
スイッチ２１をオンにして抵抗２３の両端を短絡させると、スイッチ判定回路１２には１５．６ボルトの電圧が入力されるので、入力電圧の変化からスイッチ２１がオンに操作されたことを検知できる。
【００１７】
スイッチ２１がオンにされたことが検知されると、マイコン１１はＬＥＤ駆動回路１５を作動させてＬＥＤ部２２に通電し、ＬＥＤ部２２を点灯させる。なお、スイッチ２１をオフにすればＬＥＤ部２２は消灯する。
【００１８】
このように、スイッチ２１は抵抗２３の両端の電位差である５ボルトをオンオフさせればよいので、３０ボルトをオンオフさせる場合より耐電圧が低い小型のものを使用することができる。また、コネクタ３１の接続が不良であればスイッチ判定回路１２には電圧が入力されないので、このことからコネクタ３１の接続不良を検知することができる。
【００１９】
なお、本発明は上記した形態に限定されるものではなく、本発明の要旨を逸脱しない範囲内において種々の変更を加えてもかまわない。
【符号の説明】
【００２０】
１ 本体
２ 照明ユニット
３ ハーネス
１１ マイコン
１２ スイッチ判定回路
１３ 抵抗
１４ 抵抗
１５ 駆動回路
２１ スイッチ
２２ ＬＥＤ部
２３ 抵抗
３１ コネクタ
【図１】
2017050128.tif 000003
【図２】
2017050128.tif 000004